(57)【要約】【目的】携帯型装置や車載用装置でありながら販売店などに設置されたダウンロード装置によらずに更新ソフトウェアのダウンロードが行えるディジタル放送受信装置を提供する。【構成】家屋内設置型のディジタル放送受信装置３０は、地上ディジタル放送波の弱階層に載せられた更新ソフトウェアを取得できる。携帯型のディジタル放送受信装置３１は、ディジタル放送波の強階層に載せられたダウンロード関連情報を取得できる。受信装置３０は受信装置３１からそのダウンロード関連情報を取得し、このダウンロード関連情報に基づいてダウンロードした更新ソフトウェアを受信装置３１に赤外線送信によって送信する。【選択図】　　　　　　　　図３
2004023583.tif 000002
【特許請求の範囲】
【請求項１】
ディジタル放送波の弱階層に載せられた更新ソフトウェア及び／又は更新データを取得できるディジタル放送受信装置であって、ディジタル放送波の強階層又は強階層と中階層を受信することができる他のディジタル放送受信装置との間で通信を行って当該他のディジタル放送受信装置からそのダウンロード関連情報を取得する手段と、前記ダウンロード関連情報に基づいてダウンロードした更新ソフトウェア及び／又は更新データを前記他のディジタル放送受信装置に送信する手段と、を備えたことを特徴とするディジタル放送受信装置。
【請求項２】
請求項１に記載のディジタル放送受信装置において、前記他のディジタル放送受信装置のための更新ソフトウェア及び／又は更新データのダウンロードが行われたときに、その旨のメッセージを出力するように構成されたことを特徴とするディジタル放送受信装置。
【請求項３】
ディジタル放送波の強階層又は強階層と中階層を受信することができるディジタル放送受信装置であって、ディジタル放送波の弱階層に載せられた更新ソフトウェア及び／又は更新データを取得できる他のディジタル放送受信装置との間で通信を行ってダウンロード関連情報を送信する手段と、前記他のディジタル放送受信装置が前記ダウンロード関連情報に基づいてダウンロードした更新ソフトウェア及び／又は更新データを取得する手段と、を備えたことを特徴とするディジタル放送受信装置。
【請求項４】
請求項３に記載のディジタル放送受信装置において、強階層のソフトウェア更新情報を受信して更新が有ることの判断を行ったときに、その旨のメッセージを出力するように構成されたことを特徴とするディジタル放送受信装置。
【請求項５】
請求項３又は請求項４に記載のディジタル放送受信装置において、ダウンロード関連情報に認証コードを含めて送信するように構成されたことを特徴とするディジタル放送受信装置。
【請求項６】
請求項１又は請求項２に記載のディジタル放送受信装置と請求項３乃至請求項５のいずれかに記載のディジタル放送受信装置とから成るダウンロードシステム。
【発明の詳細な説明】
【０００１】
【産業上の利用分野】
この発明は、地上波ディジタル放送を受信するディジタル放送受信装置及びダウンロードシステムに関する。
【０００２】
【従来の技術】
地上波を用いたディジタル放送では、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘｉｎｇ）と呼ばれる伝送方式が用いられ、当該放送波を受信するディジタル放送受信装置としては、家屋内に固定的に設置される受信装置の他に、携帯機器に受信機能が付加されたもの（以下、携帯型装置という）や車などの移動体において使用されることを目的とした機器（以下、車載用装置という）としての利用を想定している。このため、単一の伝送路符号化での放送だけでなく、複数の異なる伝送路符号化を用いる階層伝送を行うことが考えられている。この階層伝送においては最大３つの階層が用いられ、所要Ｃ／Ｎ比が低い順に、強階層、中階層、弱階層が存在する。そして、携帯型装置向けには強階層放送が行われ、車載用装置向けには強階層放送及び中階層放送が行われる。このため、携帯型装置及び車載用装置では弱階層放送を受信する構成にはならない。
【０００３】
【発明が解決しようとする課題】
ところで、ディジタル放送受信装置においては、放送波を利用したソフトウェア更新機能を備えることが可能である。地上波ディジタル放送においても、ソフトウェア更新情報（ＳＤＴＴ：Ｓｏｆｔｗａｒｅ　Ｄｏｗｎｌｏａｄ　Ｔｒｉｇｇｅｒ　Ｔａｂｌｅ）が強階層及び弱階層にて放送されるが、更新するソフトウェア自体は弱階層で放送されるため、携帯型装置及び車載用装置ではソフトウェアの更新を放送波を用いて行うことはできず、例えば、販売店などに設置されたダウンロード装置を通じてダウンロードを行うことが考えられている。
【０００４】
この発明は、上記の事情に鑑み、携帯型装置や車載用装置でありながら販売店などに設置されたダウンロード装置によらずに更新ソフトウェアのダウンロードが行えるようにすることを目的とする。
【０００５】
【課題を解決するための手段】
この発明のディジタル放送受信装置（以下、この項において第１構成という）は、上記の課題を解決するために、ディジタル放送波の弱階層に載せられた更新ソフトウェア及び／又は更新データを取得できるディジタル放送受信装置であって、ディジタル放送波の強階層又は強階層と中階層を受信することができる他のディジタル放送受信装置との間で通信を行って当該他のディジタル放送受信装置からそのダウンロード関連情報を取得する手段と、前記ダウンロード関連情報に基づいてダウンロードした更新ソフトウェア及び／又は更新データを前記他のディジタル放送受信装置に送信する手段と、を備えたことを特徴とする。
【０００６】
上記の構成のディジタル放送受信装置は、自らはダウンロードが行えない他のディジタル放送受信装置に代わってダウンロードを行い、ダウンロードした更新ソフトウェア及び／又は更新データを前記他のディジタル放送受信装置に与えることになり、当該他のディジタル放送受信装置は、販売店などに設置されたダウンロード装置によらずにダウンロードが行えることになる。
【０００７】
前記他のディジタル放送受信装置のための更新ソフトウェア及び／又は更新データのダウンロードが行われたときに、その旨のメッセージを出力するように構成されているのがよい（以下、この項において第２構成という）。
【０００８】
また、この発明のディジタル放送受信装置（以下、この項において第３構成という）は、ディジタル放送波の強階層又は強階層と中階層を受信することができるディジタル放送受信装置であって、ディジタル放送波の弱階層に載せられた更新ソフトウェア及び／又は更新データを取得できる他のディジタル放送受信装置との間で通信を行ってダウンロード関連情報を送信する手段と、前記他のディジタル放送受信装置が前記ダウンロード関連情報に基づいてダウンロードした更新ソフトウェア及び／又は更新データを取得する手段と、を備えたことを特徴とする。
【０００９】
上記の構成のディジタル放送受信装置においては、自らはダウンロードが行えないものの、ダウンロードが行える他のディジタル放送受信装置がダウンロードしてくれた更新ソフトウェア及び／又は更新データを受け取ることができ、当該ディジタル放送受信装置は、販売店などに設置されたダウンロード装置によらずにダウンロードが行えることになる。
【００１０】
強階層のソフトウェア更新情報を受信して更新が有ることの判断を行ったときに、その旨のメッセージを出力するように構成されているのがよい（以下、この項において第４構成という）。また、ダウンロード関連情報に認証コードを含めて送信するように構成されているのがよい（以下、この項において第５構成という）。
【００１１】
また、この発明のダウンロードシステムは、上記第１構成又は第２構成のディジタル放送受信装置と第３構成乃至第５構成のいずれかのディジタル放送受信装置とから成ることを特徴とする。
【００１２】
【発明の実施の形態】
以下、この発明の実施形態を図１乃至図３に基づいて説明する。図１は地上ディジタル放送波の弱階層に載せられた更新ソフトウェア及び／又は更新データを取得できるディジタル放送受信装置（家屋内設置型）３０を示したブロック図であり、図２はディジタル放送波の強階層を受信することができるディジタル放送受信装置（携帯型装置）３１を示したブロック図であり、図３は前記ディジタル放送受信装置３０とディジタル放送受信装置３１とから成るダウンロードシステムを示した説明図である。
【００１３】
図１において、地上波アンテナ１は屋外において所定の方向に向けて配置されており、地上波ディジタル放送信号を受信する。この地上波アンテナ１は受信した信号を地上波ディジタルチューナ２に与える。
【００１４】
地上波ディジタルチューナ２は、映像・音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリームを出力する。
【００１５】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。デマルチプレクサ３は、ビデオストリームとオーディオストリームをＡＶデコーダ４に供給し、ＰＳＩ／ＳＩに含まれる番組情報等をＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１６】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１８】
映像処理回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに組み込む処理を行う。上記ＯＳＤ回路１２により、メニュー画面や各種設定画面などの表示が行えることになる。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
メモリ（例えば、ＤＲＡＭ、フラッシュＲＯＭ、ＥＥＰＲＯＭ等）１４には、ＥＰＧ画面を表示するためのデータや自機に対する更新ソフトウェア及び／又は更新データが格納される。また、ハードディスクドライブ（ＨＤＤ）１５には、他のディジタル放送受信装置（この実施形態では、携帯型ディジタル放送受信装置３１（図２参照）とする）のための更新ソフトウェア及び／又は更新データが格納されるようになっている。
【００２２】
通信ブロック１８及び受発光部１９は、赤外線を用いた通信を実行するものである。この赤外線通信機能を用い、携帯型ディジタル放送受信装置３１との間で通信を行い、携帯型ディジタル放送受信装置３１からそのダウンロード関連情報（ｍａｋｅｒ＿ｉｄ、ｇｒｏｕｐ＿ｉｄ、ｖｅｒｓｉｏｎ＿ｉｄ、及び認証コード等）を取得してＣＰＵ１３に渡す。
【００２３】
ＣＰＵ１３は、このディジタル放送受信装置３０における全体制御を行うものであり、通常のディジタル放送受信処理や自機のための更新ソフトウェア及び／又は更新データのダウンロード処理の他、前記ダウンロード関連情報に基づいてＳＤＴＴを監視して携帯型ディジタル放送受信装置３１のための更新ソフトウェア及び／又は更新データのダウンロード処理を行い、このダウンロードデータを携帯型ディジタル放送受信装置３１に送信する処理等を行う。
【００２４】
図２は携帯型ディジタル放送受信装置３１の構成を示したブロック図である。この携帯型ディジタル放送受信装置３１は電池２２１によって駆動される構成となっている。携帯型ディジタル放送受信装置３１は、映像を液晶表示パネル２０２上に映し出すとともに、音声をイヤホン２０３から出力する。液晶表示パネル２０２上にはタッチパネル２１１が貼られており、タッチペン等によってパネル操作を行って所望の指示を与えることができる。
【００２５】
地上波ディジタルチューナ２３０は、強階層の地上波ディジタル放送を受信し復調を行ってトランスポート・ストリームを生成し、デマルチプレクス処理によりＭＰＥＧ４のビットストリームデータを取り出してＭＰＥＧ４デコーダ２０４に与えたり、ＰＳＩ／ＳＩ等をＣＰＵ２０９に供給する処理等を行う。ＭＰＥＧ４デコーダ２０４は、ビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５は、ＣＰＵ２０９から出力指示された文字等（操作ボタン、メニュー画面、ＥＰＧ画面など）を液晶表示パネル２０２に表示する処理も行う。オーディオデコーダ２０６は、ビットストリーム中のオーディオストリームをＭＰＥＧ４デコーダ２０４から受け取り、復号して音声データを生成する。ＳＤＲＡＭ２１０は、ＭＰＥＧ４デコーダ２０４の上記処理において利用される。
【００２６】
ＬＣＤコントローラ２０７は、グラフィックスコントローラ２０５から供給された映像データに基づいて液晶表示パネル２０２を駆動する。Ｄ／Ａ変換器２０８は、オーディオデコーダ２０６から出力された音声データを受け取ってＤ／Ａ変換を行い、右（Ｒ）音のアナログ信号および左（Ｌ）音のアナログ信号を生成してイヤホン２０３に与える。
【００２７】
タッチパネル２１１に対する操作情報は、専用インターフェイス２１２、及びシステムバス２１３を介してＣＰＵ２０９に与えられる。ＣＰＵ２０９は上記操作情報と液晶表示パネル２０２上の操作ボタン等の表示との対応によって指令内容を把握して必要な処理を実行する。
【００２８】
本体キー２１４は視聴に関する操作ボタン（音量、チャンネル等）である。この本体キー２１４に対する操作情報は、インターフェイス２１５及びシステムバス２１３を介してＣＰＵ２０９に与えられる。ＣＰＵ２０９は上記操作情報に基づいて必要な処理を実行する。
【００２９】
また、赤外線通信を行うための通信ブロック２１６及び受発光部２０を備えている。更に、ＦｌａｓｈＲＯＭ２１８やＳＤＲＡＭ２１９も備える。
【００３０】
ＣＰＵ２０９は、この携帯型ディジタル放送受信装置３１における全体制御を行うものであり、通常のディジタル放送受信処理の他、自機のためのＳＤＴＴ監視処理、前記通信ブロック２１６及び受発光部２０を用いてディジタル放送受信装置３０との間でデータ通信処理等を行う。
【００３１】
携帯型ディジタル放送受信装置３１は、強階層のＳＤＴＴを通常状態において監視しており、受信できた際にはその解析を行い、ディジタル放送波によるソフトウェア更新が有ると判定したときには、ダウンロード関連情報（ｍａｋｅｒ＿ｉｄ、ｇｒｏｕｐ＿ｉｄ、ｖｅｒｓｉｏｎ＿ｉｄ、及び認証コード等）を送出し得る状態を形成する。この状態形成時においては、例えば、液晶画面上にその旨を表示したり、或いは、図示しないＬＥＤを発光させてもよい。
【００３２】
ユーザは、上記の状態形成を知ったときには、家屋内設置型のディジタル放送受信装置３０の電源をＯＮし、例えば、メニュー画面において、「他のディジタル放送受信装置のためのダウンロード」といった項目を選択し、リモコン送信機１０の図示しない決定キーを押下し、赤外線通信が行える状態にする。そして、携帯型ディジタル放送受信装置３１においても、赤外線通信開始のための操作（スタートボタン操作やメニュー操作等）を行う。これにより、家屋内設置型のディジタル放送受信装置３０と携帯型ディジタル放送受信装置３１との間で赤外線通信が行われ、携帯型ディジタル放送受信装置３１から家屋内設置型のディジタル放送受信装置３０へ前記ダウンロード関連情報が受け渡される。
【００３３】
家屋内設置型のディジタル放送受信装置３０は、前記ダウンロード関連情報に基づいて携帯型ディジタル放送受信装置３１用の弱階層ＳＤＴＴを受信し、ｇｒｏｕｐ＿ｉｄ、ｖｅｒｓｉｏｎ＿ｉｄが更新情報に適合するスケジュールを取得する。このスケジュールに基づき、ＤＩＩ（Ｄｏｗｎｌｏａｄ　Ｉｎｆｏｒｍａｔｉｏｎ　Ｉｎｄｉｃａｔｉｏｎ　ｍｅｓｓａｇｅ）、ＤＤＢ（Ｄｏｗｎｌｏａｄ　Ｄａｔａ　Ｂｌｏｃｋ）といったソフトウェアデータを含むデータをダウンロードし、このダウンロードデータをハードディスクドライブ（ＨＤＤ）１５に格納する。ダウンロードデータの格納完了後においては、例えば、画面上にその旨を表示したり、或いは、図示しないＬＥＤを発光させてもよい。
【００３４】
ユーザは、ダウンロード完了を知ったときには、携帯型ディジタル放送受信装置３１の電源をＯＮし、例えば、メニュー画面において、「ダウンロードデータの受け取り」といった項目を選択し、赤外線通信が行える状態にする。そして、家屋内設置型のディジタル放送受信装置３０においても、赤外線通信開始のための操作を行う。これにより、家屋内設置型のディジタル放送受信装置３０と携帯型ディジタル放送受信装置３１との間で通信が行われる。この実施形態ではダウンロードデータと共に前記ダウンロード関連情報を家屋内設置型のディジタル放送受信装置３０から携帯型ディジタル放送受信装置３１へ送信する。
【００３５】
ダウンロードデータ及びダウンロード関連情報を受け取った携帯型ディジタル放送受信装置３１は、ダウンロード関連情報及びダウンロードデータにおけるＤＩＩに基づいてそのＤＤＢデータが正しいかどうかの整合性判断を行って確認の後にＤＤＢデータを処理し、メモリ（フラッシュＲＯＭ）１４にデータ書込を行って再起動する。これにより、携帯型ディジタル放送受信装置３１においてソフトウェア更新やデータ更新が行われることになる。ここで、ダウンロード関連情報には認証コードが含められており、この認証コードにより、他の同一機種の携帯型ディジタル放送受信装置用のダウンロードデータが誤って受け渡されてしまうといった事態を防止でき、更には、データ改ざんなどの行為に対する防御性も向上する。
【００３６】
なお、上記実施形態では、携帯型のディジタル放送受信装置３１を示したが、移動体用のディジタル放送受信装置（強階層及び中階層受信）にも適用できる。また、赤外線通信によってダウンロードデータを送信するようにしたが、これに限らず、他の無線方式の通信手段を用いてもよいし、或いは有線による通信手段を用いてもよいものである。
【００３７】
【発明の効果】
以上説明したように、この発明によれば、携帯型や車載用のディジタル放送受信装置でありながら販売店などに設置されたダウンロード装置によらずに更新ソフトウェアのダウンロードが行えるという効果を奏する。
【図面の簡単な説明】
【図１】この発明の実施形態の家屋内設置型のディジタル放送受信装置を示したブロック図である。
【図２】この発明の実施形態の携帯型のディジタル放送受信装置を示したブロック図である。
【図３】この発明の実施形態のダウンロードシステムを示した説明図である。
【符号の説明】
２，２３０　　地上波ディジタルチューナ
１３，２０９　ＣＰＵ
１８，２１６　通信ブロック
１９，２０　　受発光部
３０　　　　　ディジタル放送受信装置
３１　　　　　携帯型のディジタル放送受信装置
【図１】
2004023583.tif 000003
【図２】
2004023583.tif 000004
【図３】
2004023583.tif 000005